(57)【要約】【課題】座って全身にシャワーを浴びることができる全身浴シャワー装置を便器の上方に配設することで、トイレにシャワー機能を持たせることができ、水場機能を最小スペースに納めたいという要望に十分に応えるようにしたこと。【解決手段】便器２の上方に、シャワー水を噴射する全身浴シャワー装置６を配設し、全身浴シャワーを楽しむ人が座る専用のシャワー用座部５を便器２に設けた全身浴シャワー機能付きトイレである。【選択図】図１
2007260179.tif 000002
【特許請求の範囲】
【請求項１】
便器の上方に、シャワー水を噴射する全身浴シャワー装置を配設し、全身浴シャワーを楽しむ人が座る専用のシャワー用座部を便器に設けたことを特徴とする全身浴シャワー機能付きトイレ。
【請求項２】
上記全身浴シャワー装置は、トイレの後壁に上下方向に回動自在に支持したアームに噴射ノズルを設けて構成されていることを特徴とする全身浴シャワー機能付きトイレ。
【請求項３】
上記シャワー用座部は便器の蓋を兼用していることを特徴とする請求項１記載の全身浴シャワー機能付きトイレ。
【請求項４】
上記対となったアームは便器の肘掛けを兼用していることを特徴とする請求項２記載の全身浴シャワー機能付きトイレ。
【発明の詳細な説明】
【技術分野】
【０００１】
本発明は、座って全身にシャワーを浴びることができる全身浴シャワー装置が付設されたトイレに関するものである。
【背景技術】
【０００２】
賃貸アパートや都心の狭小マンションの建築設計においては、浴室・トイレ・洗面室の３つの水場機能を最小のスペースに納めたいという要求がある。この３つの水場機能を備えたトイレ・洗面付きシャワールームは、頻繁に採用されるところである。また従来では、座って全身にシャワーを浴びることができる全身浴シャワー装置が知られている（例えば、特許文献１参照）。
ところが従来のトイレ・洗面付きシャワールーム等においては、シャワールームの内寸が１０００ｍｍ×１４００ｍｍ程度のスペースが必要であり、水場機能を最小のスペースに納めたいという要望に十分に応えられなかった。また全身浴シャワー装置では隣りにトイレ空間を別に設ける必要があり、やはり水場機能を最小にすることはできなかった。
【特許文献１】特開平１１−２７６３７３号公報
【発明の開示】
【発明が解決しようとする課題】
【０００３】
本発明は上記の従来の問題点に鑑みて発明したものであって、座って全身にシャワーを浴びることができる全身浴シャワー装置を便器の上方に配設することで、、トイレにシャワー機能を持たせることができ、水場機能を最小スペースに納めたいという要望に十分に応えることができる全身浴シャワー機能付きトイレを提供することを課題とするものである。
【課題を解決するための手段】
【０００４】
前記課題を解決するために本発明は、便器２の上方に、シャワー水を噴射する全身浴シャワー装置６を配設し、全身浴シャワーを楽しむ人が座る専用のシャワー用座部５を便器２に設けたことを特徴としている。
このような構成とすることで、シャワー時には便器２に設けたシャワー用座部５に座って、全身に包み込む全身浴シャワーを楽しむことができる。従って、従来のトイレとほぼ同じスペース内で全身シャワー浴を実現できる。
また、上記全身浴シャワー装置６は、トイレ１の後壁１ａに上下方向に回動自在に支持したアーム３に噴射ノズル４を設けて構成されているのが好ましく、この場合、アーム３を上下に回動させることで便器２に設けたシャワー用座部５に座った人が噴射ノズル４の高さ位置を調整でき、好みの位置からシャワー水を噴霧させることができる。
また、上記シャワー用座部５は便器２の蓋２ｂを兼用しているのが好ましく、この場合、全身浴シャワー装置６の構成をより簡易化できるようになる。
また、上記対となったアーム３は便器２の肘掛けを兼用しているのが好ましく、この場合、用便時にはアーム３を肘掛けとして利用できるので、使い勝手が向上すると共に、アーム３を仕舞う場所を確保する必要もなくなる。
【発明の効果】
【０００５】
本発明に係る全身浴シャワー機能付きトイレは、便器の上方に、シャワー水を噴射する全身浴シャワー装置を配設し、全身浴シャワーを楽しむ人が座る専用のシャワー用座部を便器に設けたことにより、座ってシャワー浴ができる全身浴シャワー装置をトイレ内にコンパクトに納めることができ、結果、特に賃貸アパートや都心の狭小マンションのような、水場機能を最小のスペースに納めたいという要望に十分に応えることができるものである。
【発明を実施するための最良の形態】
【０００６】
以下、本発明を添付図面に示す実施形態に基いて説明する。
本実施形態の全身浴シャワー機能付きトイレ１は、図１に示すように、左右一対のアーム３に噴射ノズル４が設けられた全身浴シャワー装置６を便器２の上方に配設してある。
便器２には図２に示すように、便座２ａとは別にシャワー用座部５が設けられている。本例では便器２の蓋２ｂがシャワー用座部５を兼用している。また、トイレ１の床には身体を洗浄した後の温水を排水するための排水口（図示せず）が設けられている。
上記一対のアーム３は例えば、ステンレス製パイプを略円弧状に曲げ加工した部品で構成され、アーム３内部は給湯経路となっている。アーム３の下面部にはその長手方向に間隔をあけて複数の噴射ノズル４が設けられている。アーム３の基端部はトイレ１の後壁１ａに設けたアーム受け部８に対して回動自在に連結されていると共に、アーム受け部８にはアーム３を任意の回動角度で安定保持するためのダンパー機能が設けられている。なおダンパー機能については、例えば特開２００１−２０５９０号公報などにより公知となっている技術を採用することができるので、詳細な説明は省略する。
上記アーム３への温水の供給手段は、例えば便器２に付設されるおしり洗浄・ビデの給湯設備からの温水を配管（図示せず）を介してアーム３内に送り込み、各アーム３に設けた複数の噴射ノズル４からシャワー状に噴射するようにしている。なお、アーム３への温水供給・停止は、トイレ１の壁に設けた操作パネル（或いはリモコン操作器）にて操作できるようにし、例えば、低温・高温の交互刺激、流量の強弱の相互刺激を入浴者の好みに合わせて実行するための自動洗浄モードを選択できるようにすることも可能である。
しかして、シャワー時には、図３（ｂ）のように便器２の蓋２ｂを兼用するシャワー用座部５に座って、アーム３を入浴者の頭上（或いは肩の上）まで跳ね上げて保持した状態で各アーム３の噴射ノズル４から温水を噴霧させる。このとき、温水により全身の温浴感を確保する通常のシャワー浴だけでなく、噴射ノズル４からミストを噴霧させて全身を包む柔らかなミストサウナ浴、或いは噴射ノズル４から強めの水流を噴出して肩に当てるようにする打たせ湯気分のシャワー浴を選択することが可能である。またこのときアーム３は側面から見て中央が低く両端が高い略円弧状に曲成されているので、各噴射ノズル４からの噴霧角度が下方領域で広がり、どんな入浴者の体格にも合わすことができると共に、身体のまわりに湯水の微粒子が充満することで、短時間で温熱効果が得られるようになる。またアーム３の角度を下げることにより全身浴シャワーから半身浴シャワーに切り替えることも可能である。さらにアーム３はトイレ１の後壁１ａに対して回動自在に支持されているため、手でアーム３を掴む必要がなく、両手があくため石鹸やシャンプーなどの浴用用品を使って快適なシャワー洗浄ができる。アーム３を上下に回動させることができるので噴射ノズル４の高さ位置を任意に調整でき、好みの位置からシャワー水を噴霧させることができるようになる。さらに全身浴シャワーが終了した後にはアーム３を図３（ａ）のように下ろすことにより、アーム３を支えにして立ち上がることができるようになり、例えば高齢者や身体の不自由な人にとって使いやすくなる。
一方、用便時には、図２（ａ）或いは（ｂ）のようにシャワー用座部５（本例では便器２の蓋２ｂ）を開くことにより、従来通りに用便を足すことができる。このとき対となったアーム３を図３（ａ）のように下ろした状態にすることで、肘掛けとして使用できるので、快適且つ安全に用便ができると共に、アーム３を仕舞うためのスペースを確保する必要もなくなる。
ここで、従来のトイレ・洗面付きシャワールームでは内寸が１０００ｍｍ×１４００ｍｍ程度のスペースが必要であったが、本発明の全身浴シャワー装置６は、便器２の蓋２ｂをシャワー用座部５として兼用していると共に、トイレ１の後壁１ａに一対のアーム３を回動自在に片持ち支持しただけの簡易な構造であるので、例えば図１に示すような奥行きｄ２（８００ｍｍ）×横幅ｄ１（１２００ｍｍ）程度の狭いトイレ１内に全身浴シャワー装置６をコンパクトに納めることができる。そのうえシャワー用座部５が便器２の蓋２ｂを兼用しているので、全身浴シャワー装置６の構成をより簡易化できる。この結果、従来のトイレとほぼ同じスペース内で全身浴シャワーを楽しむことができるので、例えば賃貸アパートや都心の狭小マンションのような、水場機能を最小のスペースに納めたいという要望に十分に応えることができるものである。
【０００７】
さらに本例では、全身浴シャワー装置６は複数の噴射ノズル４を有する一対のアーム３で構成されているので、全身浴シャワー装置６の軽量化を図ることができるので、アーム３を上方へ跳ね上げる動作や引き下げる動作が容易となり、安全を確保しながら使い勝手を良くできる利点もある。
【０００８】
前記実施形態では対をなすアーム３を回動自在としたが、トイレの天井に動かないように固定したものであってもよい。
【図面の簡単な説明】
【０００９】
【図１】本発明の一実施形態に用いられる全身浴シャワー機能付きトイレの斜視図である。
【図２】同上の便器を示し、（ａ）は用便時に便座を使用しない場合の斜視図、（ｂ）は用便時に便座を使用する場合の斜視図、（ｃ）はシャワー時に蓋を兼ねるシャワー用座部を使用する場合の斜視図である。
【図３】（ａ）は用便時のアームの位置を説明する概略側面図であり、（ｂ）は全身浴シャワー時のアームの位置を説明する概略側面図である。
【符号の説明】
【００１０】
１  トイレ
１ａ  後壁
２  便器
２ａ  便座
２ｂ  蓋  
５  シャワー用座部
６  全身浴シャワー装置
【図１】
2007260179.tif 000003
【図２】
2007260179.tif 000004
【図３】
2007260179.tif 000005